(57)【特許請求の範囲】
【請求項１】
時間単位で提供される所定のサービスを利用するユーザに対し、前記所定のサービスを受ける対象を撮像した監視カメラの映像を提供する映像提供装置であって、
前記所定のサービスが提供されるスペースに設置されており前記所定のサービスを受けるためのユーザ操作を受け付ける受付装置より前記所定のサービスの開始を示すイベントと前記所定のサービスの終了を示すイベントとを受け付けるイベント受付部と、
前記所定のサービスの開始を示すイベントに応じて前記ユーザのＩＤ情報を生成するＩＤ情報生成部と、
前記受付装置に対し、生成した前記ＩＤ情報をユーザに提示するよう指令する指令部と、
前記ＩＤ情報によってユーザ端末からのアクセスを受け付けるユーザアクセス受付部と、
前記イベント受付部が前記所定のサービスの開始を示すイベントを受け付けてから前記所定のサービスの終了を示すイベントを受け付ける前であって且つ前記ユーザアクセス受付部が前記ユーザ端末からのアクセスを受け付けた場合のみ、前記ユーザ端末に前記監視カメラの映像を提供する映像表示制御部と、
を備える、映像提供装置。
【請求項２】
前記所定のサービスの終了を示すイベントに応じて、前記ユーザのＩＤ情報を無効にするＩＤ情報解除部、
を更に備える、
請求項１に記載の映像提供装置。
【請求項３】
前記映像表示制御部は、
前記イベント受付部が前記所定のサービスの開始を示すイベントを受け付けてから前記所定のサービスの終了を示すイベントを受け付ける前であって且つ前記ユーザアクセス受付部が前記ユーザ端末からのアクセスを受け付けた場合、前記監視カメラの映像を前記ユーザ端末に提供するためのページを生成し、
前記所定のサービスの終了を示すイベントに応じて、前記ページを破棄する、
請求項１に記載の映像提供装置。
【請求項４】
前記所定のサービスの時間を計時する計時手段を更に備え、
前記イベント受付部は、前記計時手段により計時されたサービス時間の終了を前記所定のサービスの終了を示すイベントとして受け付ける、
請求項１に記載の映像提供装置。
【請求項５】
請求項１に記載の映像提供装置と、
前記所定のサービスが提供されるスペースに設置された一以上の監視カメラと、
を備える、監視カメラシステム。
【請求項６】
前記所定のサービスは、時間貸し駐車サービスであり、
前記所定のサービスの開始を示すイベントは駐車券の発券の通知であり、
前記所定のサービスの終了を示すイベントは精算の通知である、
請求項５に記載の監視カメラシステム。
【請求項７】
前記所定のサービスは、充電サービスであり、
前記所定のサービスの開始を示すイベントは充電開始の通知であり、
前記所定のサービスの終了を示すイベントは充電完了の通知である、
請求項５に記載の監視カメラシステム。
【請求項８】
前記所定のサービスは、託児サービスであり、
前記所定のサービスの開始を示すイベントは前記託児サービスの受付の通知であり、
所定時間の経過が前記託児サービスの時間の終了である、
請求項５に記載の監視カメラシステム。
【請求項９】
時間単位で提供される所定のサービスを利用するユーザに対し、前記所定のサービスを受ける対象を撮像した監視カメラの映像を提供する映像提供方法であって、
前記所定のサービスが提供されるスペースに設置されており前記所定のサービスを受けるためのユーザ操作を受け付ける受付装置より前記所定のサービスの開始を示すイベントと前記所定のサービスの終了を示すイベントとを受け付けるイベント受付ステップと、
前記所定のサービスの開始を示すイベントに応じて前記ユーザのＩＤ情報を生成するＩＤ情報生成ステップと、
前記受付装置に対し、生成した前記ＩＤ情報をユーザに提示するよう指令する指令ステップと、
前記ＩＤ情報によってユーザ端末からのアクセスを受け付けるユーザアクセス受付ステップと、
前記イベント受付ステップにおいて前記所定のサービスの開始を示すイベントを受け付けてから前記所定のサービスの終了を示すイベントを受け付ける前であって且つ前記ユーザアクセス受付ステップにおいて前記ユーザ端末からのアクセスを受け付けた場合のみ、前記ユーザ端末に前記監視カメラの映像を提供する映像表示制御ステップと、
を備える、映像提供方法。
【請求項１０】
時間単位で提供される所定のサービスを利用するユーザに対し、前記所定のサービスを受ける対象を撮像した監視カメラの映像を提供する映像提供方法をコンピュータに実行させるプログラムであって、
前記所定のサービスが提供されるスペースに設置されており前記所定のサービスを受けるためのユーザ操作を受け付ける受付装置より前記所定のサービスの開始を示すイベントと前記所定のサービスの終了を示すイベントとを受け付けるイベント受付ステップと、
前記所定のサービスの開始を示すイベントに応じて前記ユーザのＩＤ情報を生成するＩＤ情報生成ステップと、
前記受付装置に対し、生成した前記ＩＤ情報をユーザに提示するよう指令する指令ステップと、
前記ＩＤ情報によってユーザ端末からのアクセスを受け付けるユーザアクセス受付ステップと、
前記イベント受付ステップにおいて前記所定のサービスの開始を示すイベントを受け付けてから前記所定のサービスの終了を示すイベントを受け付ける前であって且つ前記ユーザアクセス受付ステップにおいて前記ユーザ端末からのアクセスを受け付けた場合のみ、前記ユーザ端末に前記監視カメラの映像を提供する映像表示制御ステップと、
を実行させるプログラム。
【請求項１１】
時間単位で提供される所定のサービスを利用するユーザに対し、前記所定のサービスを受ける対象を撮像した監視カメラの映像を提供する映像提供装置であって、
前記監視カメラの映像を録画する録画部と、
前記所定のサービスが提供されるスペースに設置されており前記所定のサービスを受けるためのユーザ操作を受け付ける受付装置より前記所定のサービスの開始を示すイベントを受け付けるイベント受付部と、
前記所定のサービスの開始を示すイベントに応じて前記ユーザのＩＤ情報を生成するＩＤ情報生成部と、
前記受付装置に対し、生成した前記ＩＤ情報をユーザに提示するよう指令する指令部と、
前記ＩＤ情報によってユーザ端末からのアクセスを受け付けるユーザアクセス受付部と、
前記イベント受付部が前記所定のサービスの開始を示すイベントを受け付けてから前記所定のサービスの終了を示すイベントを受け付けたのち所定時間の経過前であって且つ前記ユーザアクセス受付部が前記ユーザ端末からのアクセスを受け付けた場合のみ、前記録画部で録画された前記所定のサービスの開始時間から終了時間に係る映像を前記ユーザ端末に提供する映像表示制御部と、
を備える、映像提供装置。
【発明の詳細な説明】
【技術分野】
【０００１】
本発明は、監視用等に使用されるカメラ映像をユーザに提供する技術に関するものである。
【背景技術】
【０００２】
パーキング等のサービスが提供される公共スペースにおいては、盗難や損壊等の被害の発生をいち早く把握すべく、監視カメラが設置されている。従来、この監視カメラの映像は、専らスペースを管理する者（スペースのオーナー等）による監視目的のために用いられていたが、このような映像をサービスの提供を受ける者（以下、ユーザと呼ぶ。）に配信するサービスも提案されている（例えば、特許文献１参照）。例えば、託児所においては、預けている子供の様子をカメラで撮像し、子供の保護者であるユーザに配信するサービスが提供される。
【０００３】
このように、セキュリティの心配等から自分の所有物や保護対象のリアルタイムの映像の提供を望むシチュエーションは、今後も増加することが見込まれる。例えば、今後の電気自動車の普及により、公共スペースでの充電手段（充電スタンド等）が増えることが考えられるが、ガソリン給油よりも時間を要する充電中にはユーザが自動車から目を離してもセキュリティが保たれることが望まれる。
【先行技術文献】
【特許文献】
【０００４】
【特許文献１】特開２００１−３３９７０８号
【発明の概要】
【発明が解決しようとする課題】
【０００５】
以上のように、公共のスペースにおいて、自分の所有物や保護対象を監視するための監視カメラの映像の活用が望まれている。しかし、従来の技術では、監視カメラの映像の配信サービスを受けるためには、事前にユーザの登録手続きを行い、更に認証操作（ログイン等）が必要である等、煩雑な手続きが必要な上、映像の閲覧が可能になるまでに時間がかかった。また、一度ユーザ登録され認証されると、たとえ自分の所有物や保護対象が当該スペースにない時間の映像、つまり他者の所有物や保護対象の映像も見られる可能性があり、プライバシーが害され得る。更に、パーキング、電気自動車の充電、託児所、ペットホテル等では、時間貸しのサービスも増えつつあり、迅速且つ簡単な映像の提供が望まれる。
【０００６】
本発明は、監視カメラの映像をユーザが簡単且つ迅速に見ることができる技術を提供することを目的とする。
【課題を解決するための手段】
【０００７】
上記課題を解決するため、本発明の一の観点による映像提供装置は、時間単位で提供される所定のサービスを利用するユーザに対し、同所定のサービスを受ける対象を撮像した監視カメラの映像を提供する映像提供装置であって、イベント受付部と、ユーザアクセス受付部と、映像表示制御部と、を備える。イベント受付部は、上記所定のサービスを受け付けるサービス受付装置より同所定のサービスの開始を示すイベントと同所定のサービスの終了を示すイベントとを受け付ける。ユーザアクセス受付部は、同所定のサービスの開始を示すイベントに応じてユーザからのアクセスを受け付ける。映像表示制御部は、イベント受付部が同所定のサービスの開始を示すイベントを受け付けてから同所定のサービスの終了を示すイベントを受け付ける前であって且つユーザアクセス受付部がユーザのアクセスを受け付けた場合のみ、ユーザに監視カメラの映像を提供する。
【０００８】
ここで、ユーザのアクセスを受け付けるとは、ユーザからのアクセスを受信することだけでなく、例えば、ユーザの認証も含む場合がある。また、監視カメラの映像を提供するとは、映像を直接ユーザに配信することだけでなく、例えば、ウエブページの生成等、ユーザに映像を提供できる状態を映像提供装置側で生成する場合もある。
【０００９】
この映像提供装置では、サービスの開始に応じて監視カメラの映像をユーザに提供できるため、煩雑なユーザ登録を行う必要がなく、簡単且つ迅速に映像を取得することができる。また、サービスの終了に応じて映像の提供を終了させるため、不必要に他人に自己の所有物の映像が配信されることがなく、プライバシーを保護することができる。
【発明の効果】
【００１０】
本発明によれば、監視カメラの映像をユーザが簡単且つ迅速に見ることができる。
【図面の簡単な説明】
【００１１】
【図１】本発明の第１実施形態に係る監視カメラシステムの例を示す図。
【図２】同監視カメラシステムの構成例を示す図。
【図３】同実施形態に係る監視カメラの構成例を示すブロック図。
【図４】同実施形態に係る映像提供装置であるサーバーの機能ブロック図。
【図５】同実施形態に係る発券機の概略構成と、同発券機により発行される駐車券の一例を示す図。
【図６】同実施形態に係る映像提供装置が格納する管理テーブルの一例を示す図。
【図７】同実施形態に係る監視カメラシステムによる処理を示すフローチャート。
【図８】本発明の第２実施形態に係る監視カメラシステムの例を示す図。
【図９】同実施形態に係る監視カメラシステムによる処理を示すフローチャート。
【図１０】同実施形態に係る映像提供装置が格納する管理テーブルの一例を示す図。
【図１１】本発明の第３実施形態に係る監視カメラシステムの例を示す図。
【図１２】同実施形態に係る充電装置の概略構成を示す図。
【図１３】同実施形態に係る監視カメラシステムによる処理を示すフローチャート。
【図１４】同実施形態に係る映像提供装置が格納する管理テーブルの一例を示す図。
【図１５】本発明の第４実施形態に係る監視カメラシステムの例を示す図。
【図１６】同実施形態に係る受付装置の概略構成を示す図。
【図１７】同実施形態に係る監視カメラシステムによる処理を示すフローチャート。
【図１８】同実施形態に係る映像提供装置が格納する管理テーブルの一例を示す図。
【図１９】本発明の他の実施形態に係る監視カメラシステムによる処理を示すフローチャート。
【図２０】同実施形態に係る映像提供装置が格納する管理テーブルの一例と、提供される映像態様の一例を示す図。
【発明を実施するための形態】
【００１２】
＜１  第１実施形態＞
以下、本発明の実施形態における監視カメラシステムについて説明する。
図１は、いわゆる時間貸しの駐車場において本発明の監視カメラシステムを適用した例を示す。この駐車場では、自動車がゲートから入ると、ユーザの操作を介して発券機（サービス受付装置の一例）４０によりサービスの開始を受け付け、ユーザに駐車券が発券され、ユーザは駐車スペースＰ１〜Ｐ６のいずれかに自動車を駐車する。サービスの終了時には、ユーザは発券機４０に駐車券を挿入し、料金の支払い等の精算を行ってゲートから出る。本実施形態に係る監視カメラシステムは、監視カメラ１０により撮像した駐車中の自動車の映像を、ユーザが見ることができるサービスを提供するものである。
【００１３】
また、監視カメラシステムには、図２に示すように、監視装置５０が接続され、監視カメラ１０の監視を常時行っている。この監視装置５０は、コンピュータ端末等であり、例えば、監視カメラシステムとは別に設けられた中央監視室等に設置され、駐車場のオーナー等により管理されている。この監視装置５０は、複数の駐車場の監視カメラを監視するものであってもよい。
【００１４】
＜１．１  監視カメラシステム１の構成＞
図２は、本実施形態に係る監視カメラシステム１の構成例を示す。監視カメラシステム１は、駐車場の所定の箇所に設置された複数の監視カメラ１０と、監視カメラ１０に通信ネットワーク（ＩＰ網等）を介して接続される映像提供装置２０とを備える。
監視カメラシステム１は更に、通信ネットワークを介して発券機４０と接続され、後述するように発券機４０から映像提供装置２０に発券通知や精算通知が送信される。また、監視カメラシステム１はまた、通信ネットワークを介してユーザの所有する端末装置（以下、ユーザ端末と呼ぶ。）と接続され、後述するようにユーザに映像を提供するための通信を行う。
【００１５】
＜１．１．１  監視カメラ１０＞
図３は、本実施形態に係る監視カメラ１０の構成例を概略的に示す。
監視カメラ１０は、撮像部１１と、ＤＳＰ（Digital Signal Processor）１２とネットワークＩＦ部１３とを備える。撮像部１１は、被写体の撮像を行うＣＣＤやＣ−ＭＯＳ等の撮像素子や、ズーム、フォーカス、パン、チルト等の撮像制御を行う撮像制御機構を有する。ＤＳＰ１２は、信号処理部１２ａ及び画像圧縮部１２ｂを含み、撮像部１１より取得された画像のデジタル信号処理を行う。信号処理部１２ａは、撮像部１１から取得した画像をデジタル変換し、所定の画像処理を行う。画像圧縮部１２ｂは、デジタル画像をＪＰＥＧやＭＰＥＧ−４により圧縮する。ネットワークＩＦ部１３は、ネットワークのインターフェース部であり、イーサネット（登録商標）カード等のＬＡＮカードに相当する。ネットワークＩＦ部１３は、圧縮画像を通信ネットワークを介して、映像提供装置２０に送信する。
なお、監視カメラ１０が多数設置されている場合、これらの監視カメラ１０はローカルネットワークに接続され、ローカルネットワークを介して外部の通信ネットワークに映像を送信するようにしてもよい。
【００１６】
＜１．１．２  映像提供装置２０＞
図４は、本実施形態に係る映像提供装置２０の機能構成例を示す。映像提供装置２０は、上記監視カメラ１０から取得した映像を逐次格納し、その映像をユーザがリアルタイムに閲覧できるウエブページを生成する。映像提供装置２０は、例えばサーバーとして機能するコンピュータ装置であり、イベント受付部２１と、ＩＤ情報生成部２２と、ＩＤ情報解除部２３と、ＩＤ情報格納部２４と、ユーザアクセス受付部２５と、映像受信部２６と、映像格納部２７と、ページ生成部（映像表示制御部の一例）２８と、を有する。
【００１７】
イベント受付部２１は、発券機４０から駐車券の発券又は料金の精算を示すイベントの通知を受信する。イベントとは、サービスの開始又は終了を示すイベントであって、ここでは、ユーザが駐車場に入場したときの駐車券の「発券」の通知か、駐車場から退場するときの「精算」の通知を示す情報である。イベント受付部２１はまた、受信したイベントの通知が「発券」であるか「精算」であるかを判断する。イベント受付部２１はまた、後述するようにＩＤ情報生成部２２によりＩＤ情報が生成された場合、例えば、当該ＩＤ情報と映像の提供を行うウエブサイトのＵＲＬ（Uniform Resource Locator）情報を発券機４０に通知し、これらの情報を含む図５（ｂ）に示すような駐車券の発券を発券機４０に指令する。
【００１８】
ＩＤ情報生成部２２は、イベント受付部２１からのイベントのうち「発券」の通知を受けて、ＩＤ情報を生成する。ここで、ＩＤ情報とは、例えばログイン用のＩＤやパスワードである（以下、ユーザＩＤ情報とする）。これらのユーザＩＤ情報は、図６（ａ）に示すように、発券される駐車券の識別情報（例えば、一意の発券番号）と対応付けられて、ランダムに生成され、ＩＤ情報格納部２４に格納される。
【００１９】
ＩＤ情報解除部２３は、イベント受付部２１からのイベントのうち「精算」の通知を受けて、ＩＤ情報格納部２４に格納された、当該駐車券に対応するユーザＩＤ情報を無効にする。ここで、ユーザＩＤ情報を無効にするとは、図６（ａ）に示すユーザＩＤ情報とその対応する駐車券識別情報を削除又は破棄してもよいし、フラグ等を用いてこれらの情報を無効にしてもよい。
【００２０】
ＩＤ情報格納部２４は、ＩＤ情報生成部２２により生成されたユーザＩＤ情報を格納する。ユーザＩＤ情報は駐車券の識別情報と対応付けられて格納される。
ユーザアクセス受付部２５は、ユーザ端末３０からのアクセスを受け付け、ユーザ端末より送信されたユーザＩＤ情報と、ＩＤ情報格納部２４のユーザＩＤ情報とを照合して、認証を行う。ユーザアクセス受付部２５は、ＩＤ情報格納部２４にユーザ端末より送信されたユーザＩＤ情報と一致する有効なユーザＩＤ情報があるかどうかを判断する。一致するユーザＩＤ情報がある場合は、ページ生成部２８により当該ウエブサイトにおいてユーザ用のウエブページを生成させると共に、映像格納部２７より当該ユーザに対応する映像を取得し、ユーザ端末３０からのアクセスに応じて映像が閲覧可能な状態にする。
【００２１】
ここで、当該ユーザに対応する映像とは、駐車した当該ユーザの自動車を撮像範囲とする監視カメラ１０の映像である。本実施形態の場合、一台の監視カメラ１０に対し複数の駐車スペースを撮像している。例えば、図１では駐車スペースＰ１〜Ｐ３は１台の監視カメラ１０により撮像されている。よって、駐車券が発券された時点では、ユーザがどこの駐車スペースを使用するは未知である。本実施形態では、映像提供装置２０は、ユーザ端末３０がログインした時点でユーザが使用する駐車スペースの識別情報（例えば、駐車スペースの番号）の入力を受け付け、対応する映像を表示させる。なお、映像提供装置２０は、図６（ｂ）に示すように、駐車スペースの識別情報と監視カメラ１０の識別情報とを対応付けて、メモリ（図示省略）に予め格納しておく。映像提供装置２０は、ユーザがウエブページにログインしたとき、ユーザによる駐車スペースの識別情報の入力を受け付けて、対応する監視カメラ１０を特定し、当該監視カメラ１０の映像を表示させる。
【００２２】
映像受信部２６は、監視カメラ１０より通信ネットワークを介して映像をリアルタイムに受信し、逐次映像格納部２７に格納する。
映像格納部２７は、映像受信部２６より受信する画像を格納する。
【００２３】
ページ生成部２８は、ユーザアクセス受付部２５によりユーザＩＤ情報が一致すると判断された場合は、当該ウエブサイトにおいて映像を表示させるためのユーザ用のウエブページを生成し、ユーザ端末３０のアクセスに応じてウエブページを表示させ、映像格納部２７に格納されているライブ映像をユーザが閲覧可能にする。なお、この映像の提供は、ユーザのアクセス毎に一定時間提供してもよいし、ユーザのアクセスに応じて提供を開始し再びユーザから終了を指定するまで提供するようにしてもよい。
【００２４】
上記映像提供装置２０は、ＣＰＵ、メモリ、ネットワークカード等を有するコンピュータ装置である。例えば、上記イベント受付部２１、ＩＤ情報生成部２２、ＩＤ情報解除部２３、ユーザアクセス受付部２５、映像受信部２６、及びページ生成部２８の各機能は、映像提供装置２０の制御部に相当するＣＰＵがメモリに格納された所定のプログラムを読み込み実行することにより実現される。また、ＩＤ情報格納部２４や映像格納部２７は、映像提供装置２０の内部や外部に設けられたメモリにより実現される。
【００２５】
＜１．１．３  ユーザ端末３０＞
ユーザ端末３０は、例えば携帯電話やＰＣ等のコンピュータ端末であり、タッチスクリーンやプッシュボタン等の入力部と、液晶や有機ＥＬディスプレイ等の表示部と、ＣＰＵ等からなる制御部と、メモリと、ネットワークインターフェースや無線アンテナ等の通信部と、を有する。ユーザ端末３０は、入力部から駐車券に付与されたＵＲＬとユーザＩＤ情報を入力し、通信部を介して映像提供装置２０にアクセスする。ユーザ端末３０はまた、表示部に映像提供装置２０のウエブページを表示させ、映像を表示する。
【００２６】
＜１．１．４  発券機４０＞
発券機４０は、ユーザの操作により駐車券を発券し、また精算処理を行う。
図５（ａ）は、発券機４０の概略構成を示す。発券機４０は、ボタンやタッチスクリーン等のユーザによる入力を受け付ける入力部４１、駐車券を印刷、発券し、精算を受け付ける発券・精算部４２、ネットワークとの接続部である通信部４３、ＬＣＤ等の画面からなる表示部４４、及び映像提供装置２０からの情報やユーザ入力に応じて生成した情報等を格納するメモリ４５を含む。
駐車券は例えば、図５（ｂ）に示すように、発券番号、入場時間、更にサービスを受けるためのアクセス先であるＵＲＬや、ログイン用のユーザＩＤ情報を含む。なお、ＵＲＬはＱＲコードやバーコード等により印字されていてもよい。
【００２７】
＜１．２  監視カメラシステム１の動作＞
以下において、図７を参照しながら、監視カメラシステム１の動作について説明する。
Ｓ１０１：映像提供装置２０のイベント受付部２１は、発券機４０よりイベントの通知を受信する。なお、受信したイベントの通知が「発券」の通知である場合、イベント受付部２１は、発券機４０の通信部４３より、駐車券識別情報（例えば、発券番号）を受け付ける。
【００２８】
Ｓ１０２：イベント受付部２１は、受信したイベントの通知が「発券」の通知か「精算」の通知かを判断する。「発券」の通知である場合はステップＳ１０３に進み、「精算」の通知である場合はステップＳ１０８に進む。
【００２９】
Ｓ１０３：ＩＤ情報生成部２２は、ユーザＩＤ情報を生成し、図６（ａ）に示すように、上記駐車券識別情報と対応付けてＩＤ情報格納部２４に格納する。更にイベント受付部２１は、ＩＤ情報生成部２２のユーザＩＤ情報の生成を受けて、当該ユーザＩＤ情報及びＵＲＬ情報を含む駐車券の発券を発券機４０に指令する。
【００３０】
Ｓ１０４：ユーザアクセス受付部２５は、ユーザ端末３０からのアクセスを受信したかどうかを判断する。このとき、ユーザアクセス受付部２５は、ユーザ端末３０から上述のように駐車スペースの識別情報の入力も受け付ける。
【００３１】
Ｓ１０５：ユーザアクセス受付部２５は、ユーザ端末３０からのアクセスを受信した場合、ユーザ端末３０から送信されたユーザＩＤ情報とＩＤ情報格納部２４に格納されたユーザＩＤ情報との照合を行い、当該ユーザＩＤ情報が一致したかどうかを判断する。一致した場合はステップＳ１０６に進み、一致しない場合はステップＳ１０４に戻る。
【００３２】
Ｓ１０６：ページ生成部２８は、当該ユーザＩＤ情報に対応するウエブページを生成し、映像がユーザ端末３０により閲覧可能な状態を生成する。また、ページ生成部２８は、図６（ｂ）に示すテーブルを参照し、入力された駐車スペースの識別情報に対応する監視カメラ１０を特定し、当該監視カメラ１０の映像をユーザ端末３０を介して提供する。
【００３３】
Ｓ１０７：イベント受付部２１は、当該ユーザＩＤ情報に対応する駐車券識別情報を含む「精算」の通知を受信したかどうかを判断する。「精算」の通知を受信した場合はステップＳ１０８に進み、受信していない場合はステップＳ１０４に戻る。
【００３４】
Ｓ１０８：当該ユーザＩＤ情報に対応する「精算」の通知があった場合は、ＩＤ情報解除部２３はユーザＩＤ情報、及びユーザＩＤ情報と対応させた駐車券識別情報を無効にし、対応するウエブページを削除する。
なお、上記監視カメラシステム１による処理の流れは一例であり、各処理の順序やタイミング等は上記に限定されない。例えば、ページ生成部２８によるウエブページの生成は、ユーザＩＤ情報の生成を受けてから行ってもよい。
【００３５】
＜１．３  第１実施形態の特徴＞
上記監視カメラシステム１においては、サービスの開始に応じて自動的に監視カメラ１０の映像をユーザが閲覧可能な状態にする。従って、ユーザは、煩雑なユーザ登録を行う必要がなく、簡単且つ迅速に監視カメラの映像を閲覧することができ、車上狙いや損壊等に対するセキュリティ対策をとることができる。また、サービスの終了に応じて自動的に映像の提供を終了させるため、不必要に他人に自己の所有物の映像が閲覧されることがなく、プライバシーを保護することができる。
【００３６】
＜１．４  第１実施形態の変形例＞
上記第１実施形態においては、映像提供装置２０は、ユーザ端末３０がログインした時点でユーザが使用する駐車スペースの識別情報（例えば、駐車スペースの番号）を入力させ、対応する映像を表示させるが、これに限定されない。
例えば、映像提供装置２０は、複数の監視カメラの画像をいったんユーザのウエブページに表示しておき、ユーザの自動車の映像に該当する監視カメラ映像をユーザにより選択させるようにしてもよい。
或いは、ユーザによる駐車スペースの特定は行わず、駐車場内の全ての監視カメラ１０の映像をウエブページに表示するようにしてもよい。
【００３７】
＜２  第２実施形態＞
＜２．１  監視カメラシステム２の構成＞
図８は、いわゆる時間貸しの駐車場において本発明の監視カメラシステムを適用した例を示す。本実施形態に係る監視カメラシステム２は、各駐車スペースに配された監視カメラ１０と、監視カメラ１０に通信ネットワーク（ＩＰ網等）を介して接続される映像提供装置２０とを備える。本実施形態においては、駐車スペースＰ１〜Ｐ６毎に監視カメラ１０を設置した点において第１実施形態と異なる。このような構成により、各ユーザは、１台の監視カメラ１０の映像を専有的に閲覧することができる。
【００３８】
なお、以下において、第１実施形態と同一の構成については同一の符号を用いる。
監視カメラ１０（図３）、映像提供装置２０（図４）、及びユーザ端末３０は、第１実施形態と同様の構成であるため、説明を省略する。
【００３９】
発券機４０は、第１実施形態と同様の構成に加え、後述するように、ユーザが駐車スペースを事前に指定できるインターフェースを有する、このインターフェースは、例えば、タッチスクリーン、ボタン、音声入力手段等である。
【００４０】
＜２．２  監視カメラシステム２の動作＞
以下において、図９を参照しながら、監視カメラシステム１の動作について説明する。
Ｓ２０１：映像提供装置２０のイベント受付部２１は、発券機４０の通信部４３よりイベントの通知を受信する。なお、受信したイベントの通知が「発券」の通知である場合、イベント受付部２１は、発券機４０から、駐車券識別情報（例えば、発券番号）を受け付ける。更に、イベント受付部２１は、発券機４０の上記インターフェースを介して入力された駐車スペースの識別情報を受け付ける。
【００４１】
Ｓ２０２：イベント受付部２１は、受信したイベントの通知が「発券」の通知か「精算」の通知かを判断する。「発券」の通知である場合はステップＳ２０３に進み、「精算」の通知である場合はステップＳ２０８に進む。
【００４２】
Ｓ２０３：ＩＤ情報生成部２２は、ユーザＩＤ情報を生成し、図６（ａ）に示すように、上記駐車券識別情報と対応付けてＩＤ情報格納部２４に格納する。更にイベント受付部２１は、ＩＤ情報生成部２２のユーザＩＤ情報の生成を受けて、当該ＩＤ情報及びＵＲＬ情報を含む駐車券の発券を発券機４０に指令する。
【００４３】
また、ＩＤ情報生成部２２は、受信した駐車スペースの識別情報について、図１０（ａ）に示すような予めメモリに格納されたテーブルを参照して、当該駐車スペースに対応する監視カメラを特定する。そして、ＩＤ情報生成部２２は、図１０（ｂ）に示すように、当該監視カメラとユーザＩＤ情報とを対応付けて、メモリ等に格納しておく。
【００４４】
Ｓ２０４：ユーザアクセス受付部２５は、ユーザ端末３０からのアクセスを受信したかどうかを判断する。
Ｓ２０５：ユーザアクセス受付部２５は、ユーザ端末３０からのアクセスを受信した場合、ユーザ端末３０から送信されたユーザＩＤ情報とＩＤ情報格納部２４に格納されたユーザＩＤ情報との照合を行い、当該ユーザＩＤ情報が一致したかどうかを判断する。一致した場合はステップＳ２０６に進み、一致しない場合はステップＳ２０４に戻る。
【００４５】
Ｓ２０６：ページ生成部２８は、当該ユーザＩＤ情報に対応するウエブページを生成する。ページ生成部２８は更に、当該ユーザＩＤ情報に基づき、メモリに格納された図１０（ｂ）に示すようなテーブルを参照し、対応する監視カメラ１０を特定し、その映像をユーザ端末３０により閲覧可能な状態にする。
【００４６】
Ｓ２０７：イベント受付部２１は、当該ユーザＩＤ情報に対応する駐車券識別情報を含む「精算」の通知を受信したかどうかを判断する。「精算」の通知を受信した場合はステップＳ２０８に進み、受信していない場合はステップＳ２０４に戻る。
【００４７】
Ｓ２０８：当該ユーザＩＤ情報に対応する「精算」の通知があった場合は、ＩＤ情報解除部２３はユーザＩＤ情報、ユーザＩＤ情報と対応する駐車券識別情報（図６（ａ））、及びユーザＩＤ情報と対応する監視カメラ識別情報（図１０（ｂ））等を無効にし、対応するウエブページを削除する。
なお、上記監視カメラシステム２による処理の流れは一例であり、各処理の順序やタイミング等は上記に限定されない。
【００４８】
＜２．３  第２実施形態の変形例＞
上記第２実施形態においては、映像提供装置２０が駐車スペースの識別情報と監視カメラの識別情報とを対応付けていたが、発券機４０側で対応付けるようにしてもよい。この場合、発券機４０は、ユーザにより選択された駐車スペースに対応する監視カメラ１０の識別情報を映像提供装置２０に通知し、映像提供装置２０は、図１０（ｂ）に示すようにユーザＩＤ情報と通知された監視カメラ識別情報ＩＤとを対応付けて、記憶するようにしてもよい。
【００４９】
＜３  第３実施形態＞
＜３．１  監視カメラシステム３の構成＞
図１１は、本発明の監視カメラシステムを、電気自動車の充電ステーションに適用した例を示す。各駐車スペースＰ１〜Ｐ３には充電装置４０Ａと監視カメラ１０とが設置される。
本実施形態に係る監視カメラシステム３は、各駐車スペースＰ１〜Ｐ３に配された監視カメラ１０と、監視カメラ１０に通信ネットワーク（ＩＰ網等）を介して接続される映像提供装置２０とを備える。監視カメラ１０（図３）、映像提供装置２０（図４）、及びユーザ端末３０は、第１実施形態と同様の構成であるため、説明を省略する。
【００５０】
充電装置４０Ａは、電気自動車に電気を供給する装置である。充電装置４０Ａは、例えば、図１２に概略的に示すように、入力部４１Ａ、精算部４２Ａ、通信部４３Ａ、表示部４４Ａ、メモリ４５Ａ、充電制御部４６Ａを含む。入力部４１Ａは、ボタンやタッチスクリーン等であって、ユーザによる充電開始、ユーザが希望する充電量の入力、精算等を受け付ける。精算部４２Ａは、充電開始時や充電終了後の精算を受け付け、課金処理等を行う。通信部４３Ａは、ネットワークとの接続部である。表示部４４Ａは、ＬＣＤ等の画面からなり、上記入力部４１Ａによる入力項目の他、現在の充電量、充電完了の有無、充電量に応じた金額等を表示する。メモリ４５Ａは、映像提供装置２０からの情報やユーザ入力に応じて生成した情報等を格納する。充電制御部４６Ａは、プラグに対し放電開始を指示したり、充電終了を通知したりする。
なお、各充電装置４０Ａは、それぞれ一意の識別情報を有する。
【００５１】
＜３．２  監視カメラシステム３の動作＞
以下において、図１３を参照しながら、監視カメラシステム３の動作について説明する。
【００５２】
Ｓ３０１：映像提供装置２０のイベント受付部２１は、充電装置４０Ａの通信部４３Ａよりイベントの通知を受信する。更に、イベント受付部２１は、イベントを通知した充電装置４０Ａの識別情報を受信する。
【００５３】
Ｓ３０２：イベント受付部２１は、受信したイベントの通知が「充電開始」の通知か「充電完了」の通知かを判断する。「充電開始」の通知である場合はステップＳ３０３に進み、「充電完了」の通知である場合はステップＳ３０８に進む。
【００５４】
Ｓ３０３：ＩＤ情報生成部２２は、ユーザＩＤ情報を生成し、ＩＤ情報格納部２４に格納する。このとき、ＩＤ情報生成部２２は、図１４（ａ）に示すように、充電装置の識別情報と監視カメラの識別情報とを対応付けてメモリに記憶したテーブルを参照し、受信した充電装置４０Ａの識別情報に対応する監視カメラ１０を特定する。ＩＤ情報生成部２２は更に、図１４（ｂ）に示すように、特定された監視カメラ１０の識別情報と、生成したユーザＩＤ情報とを対応付けて、ＩＤ情報格納部２４に格納する。
【００５５】
更にイベント受付部２１は、ＩＤ情報生成部２２のユーザＩＤ情報の生成を受けて、当該ユーザＩＤ情報及びＵＲＬ情報を充電装置４０Ａを介してユーザに通知する。この通知の手段としては、充電装置４０Ａは、表示部４４Ａに表示させもよいし、発券を行ってもよい。
【００５６】
Ｓ３０４：ユーザアクセス受付部２５は、ユーザ端末３０からのアクセスを受信したかどうかを判断する。
Ｓ３０５：ユーザアクセス受付部２５は、ユーザ端末３０からのアクセスを受信した場合、ユーザ端末３０から送信されたユーザＩＤ情報とＩＤ情報格納部２４に格納されたユーザＩＤ情報との照合を行い、当該ユーザＩＤ情報が一致したかどうかを判断する。一致した場合はステップＳ３０６に進み、一致しない場合はステップＳ３０４に戻る。
【００５７】
Ｓ３０６：ページ生成部２８は、当該ユーザＩＤ情報に対応するウエブページを生成する。ページ生成部２８は更に、図１４（ｂ）に示すテーブルを参照して当該ユーザＩＤ情報に対応する監視カメラ１０の映像がユーザ端末３０により閲覧可能な状態を生成する。これにより、当該監視カメラ１０の映像がユーザ端末３０を介して提供される。
【００５８】
Ｓ３０７：イベント受付部２１は、当該ユーザＩＤ情報に対応する充電装置４０Ａの識別情報を含む「充電完了」の通知を受信したかどうかを判断する。「充電完了」の通知を受信した場合はステップＳ３０８に進み、受信していない場合はステップＳ３０４に戻る。
【００５９】
Ｓ３０８：当該ユーザＩＤ情報に対応する「充電完了」の通知があった場合は、ＩＤ情報解除部２３はユーザＩＤ情報と対応する監視カメラの識別情報（図１４（ｂ））を無効にし、対応するウエブページを削除する。
【００６０】
なお、本実施形態において、精算は前払いであっても後払いであってもよい。前払いの場合、ユーザが充電装置４０Ａの入力部４１Ａを介して予め充電量を入力すると、精算部４２Ａによって計算された充電量に応じた金額が提示され、ユーザはカードや現金等で精算する。また、後払いの場合、精算部４２Ａは、充電制御部４６Ａから充電完了の通知を受けて、充電量に応じた金額を計算する。この場合、例えば、表示部４４Ａ上でユーザに精算を促し、ユーザが精算を終了すると、当該充電装置４０Ａの識別情報と共にイベント終了通知として映像提供装置２０に通知する。これを受けて映像提供装置２０はユーザＩＤ情報を無効にする。
なお、上記監視カメラシステム３による処理の流れは一例であり、各処理の順序やタイミング等は上記に限定されない。
【００６１】
＜３．３  第３実施形態の変形例＞
＜３．３．１  変形例１＞
上記第３実施形態においては、ユーザの充電装置４０Ａに対する入力操作をイベントの開始としていたが、これに限定されない。例えば、充電装置４０Ａの充電プラグの作動開始／終了検知に応じてイベント開始／終了を通知してもよい。この場合、充電装置４０Ａの充電プラグには、充電対象（自動車等）のプラグ差込口への差込みを検知する検知手段を設ける。充電装置４０Ａは、このプラグが差込口へ差し込まれたことを検知したらイベント開始（充電開始）通知を行い、その後、差込口から抜かれたことを検知したらイベント終了（充電終了）通知を行うことができる。
【００６２】
＜３．３．２  変形例２＞
充電装置４０Ａは、自己の識別情報と対応する監視カメラ１０の識別情報を保持しておいてもよい。この場合、充電装置４０Ａは、充電開始指示を受け付けると、自己の識別情報と対応する監視カメラ１０の識別情報を、イベント開始の通知と共に映像提供装置２０に通知する。この場合、映像提供装置２０は、図１４（ｂ）に示すように生成したユーザＩＤ情報に対応付けた監視カメラ識別情報ＩＤを記憶する。また、充電装置４０Ａは、充電を完了すると、当該監視カメラ１０の識別情報をイベント終了の通知と共に映像提供装置２０に通知する。これを受けて映像提供装置２０はユーザＩＤ情報及び対応する監視カメラ識別情報ＩＤを無効にする。
【００６３】
＜４  第４実施形態＞
＜４．１  監視カメラシステム４の構成＞
図１５は、本発明の監視カメラシステムを、託児所において適用して例を示す。保護対象となる子供の映像を監視カメラ１０により撮像し、ユーザに提供する。
本実施形態に係る監視カメラシステム４は、託児ルームに配された監視カメラ１０と、監視カメラ１０に通信ネットワーク（ＩＰ網等）を介して接続される映像提供装置２０とを備える。監視カメラ１０（図３）、映像提供装置２０（図４）、及びユーザ端末３０は、第１実施形態と同様の構成であるため、説明を省略する。
受付装置４０Ｂは、例えば、図１６に概略的に示すように、入力部４１Ｂ、精算部４２Ｂ、通信部４３Ｂ、表示部４４Ｂ、メモリ４５Ｂを含む。入力部４１Ｂは、ボタンやタッチスクリーン等であって、ユーザによるサービス開始、ユーザが希望するサービス時間の入力、精算等を受け付ける。精算部４２Ｂは、サービス終了後の精算を受け付け、課金処理を行う。通信部４３Ｂは、ネットワークとの接続部である。表示部４４Ｂは、ＬＣＤ等の画面からなり、上記入力部４１Ｂによる入力項目の他、サービス時間やサービス時間に応じた金額等を表示する。メモリ４５Ｂは、映像提供装置２０からの情報やユーザ入力に応じて生成した情報等を格納する。
【００６４】
＜４．２  監視カメラシステム４の動作＞
以下において、図１７を参照しながら、監視カメラシステム４の動作について説明する。
Ｓ４０１：映像提供装置２０のイベント受付部２１は、受付装置４０Ｂの通信部４３Ｂよりイベント開始の通知を受信する。映像提供装置２０はまた、ユーザにより選択されたサービス時間（ユーザがサービスを受ける時間）を受信する。映像提供装置２０は、受信したサービス時間を、図示を省略した所定の計時手段（内蔵された時計等）を用いてカウントする。
【００６５】
なお、サービス開始の通知は、受付装置４０Ｂから次のようにして映像提供装置２０に送信される。受付装置４０Ｂは、ユーザ又は託児所の職員から、サービス時間の選択と、託児サービスの開始指示の入力とを受け付け、サービス開始の指示とサービス時間とを映像提供装置２０に通知する。
【００６６】
Ｓ４０２：ＩＤ情報生成部２２は、ユーザＩＤ情報を生成し、ＩＤ情報格納部２４に格納する。このとき、ＩＤ情報生成部２２は、図１８（ａ）に示すように、ユーザＩＤ情報と選択されたサービス時間の終了時間とを対応付けてＩＤ情報格納部２４に格納する。
更にイベント受付部２１は、ＩＤ情報生成部２２のユーザＩＤ情報の生成を受けて、当該ユーザＩＤ情報及びＵＲＬ情報を受付装置４０Ｂの表示部４４Ｂを介してユーザに通知する。この通知の手段としては、表示部４４Ｂにこれらの情報を表示させてもよいし、発券を行ってもよい。
【００６７】
Ｓ４０３：ユーザアクセス受付部２５は、ユーザ端末３０からのアクセスを受信したかどうかを判断する。
【００６８】
Ｓ４０４：ユーザアクセス受付部２５は、ユーザ端末３０からのアクセスを受信した場合、ユーザ端末３０から送信されたユーザＩＤ情報とＩＤ情報格納部２４に格納されたユーザＩＤ情報との照合を行い、当該ユーザＩＤ情報が一致したかどうかを判断する。一致した場合はステップＳ４０５に進み、一致しない場合はステップＳ４０３に戻る。
【００６９】
Ｓ４０５：ページ生成部２８は、当該ユーザＩＤ情報に対応するウエブページを生成する。ページ生成部２８は更に、監視カメラ１０の映像がユーザ端末３０により閲覧可能な状態を生成する。これにより、当該監視カメラ１０の映像がユーザ端末３０を介して提供される。
【００７０】
Ｓ４０６：イベント受付部２１は、サービス時間が終了したかどうかを判断する。具体的には、イベント受付部２１が上記計時手段により計時されたサービス時間の経過を確認し、サービス時間が終了したかどうかを判断する。サービス時間が終了した場合は、イベント受付部２１はイベントの終了と判断し、ステップＳ４０７に進み、終了していない場合はステップＳ４０３に戻る。
【００７１】
Ｓ４０７：当該ユーザＩＤ情報に対応するサービス時間が終了した場合は、ＩＤ情報解除部２３はユーザＩＤ情報（図１８（ａ））を無効にし、対応するウエブページを削除する。
なお、上記監視カメラシステム４による処理の流れは一例であり、各処理の順序やタイミング等は上記に限定されない。
【００７２】
＜４．３  第４実施形態の変形例＞
＜４．３．１  変形例１＞
上記第４実施形態においては、サービス時間は映像提供装置２０の計時手段により管理していたが、これに代えて、受付装置４０Ｂに設けた時計等の計時手段によりサービス時間を管理してもよい。
この場合、受付装置４０Ｂは、託児所サービス開始のユーザ操作を受け付けると、受付毎に固有のＩＤ（受付ＩＤ）を発行し、映像提供装置２０にサービス開始として通知する。このとき、映像提供装置２０は、図１８（ｂ）に示すように、当該受付ＩＤとユーザＩＤ情報とを対応付けて記憶しておく。受付装置４０Ｂは、サービス時間が経過したら、対応する受付ＩＤと共にサービス終了の通知を映像提供装置２０に送信する。映像提供装置２０は、サービス終了の通知を受けたら、通知に含まれる受付ＩＤと対応付けられているユーザＩＤ情報を無効にする。
【００７３】
＜４．３．２  変形例２＞
上記第４実施形態においては、サービス時間の終了をイベントの終了としていが、これに限定されない。例えば、映像提供装置２０は、精算を終了イベントとして、ユーザＩＤ情報を無効にしてもよい。
この場合、受付装置４０Ｂは、託児所サービス開始の操作を受け付けると、受付毎に固有のＩＤ（受付ＩＤ）を発行し、映像提供装置２０にサービス開始として通知する。このとき、映像提供装置２０は、図１８（ｂ）に示すように、当該受付ＩＤとユーザＩＤ情報とを対応付けて記憶しておく。受付装置４０Ｂは、ユーザ又は職員の操作によってサービスの終了、つまり精算を指示する操作を受け付けると、指定された受付ＩＤと共にサービス終了の通知を映像提供装置２０に送信する。映像提供装置２０は、当該精算の通知を受信したら、通知に含まれる受付ＩＤと対応するユーザＩＤ情報とを無効にする。
【００７４】
＜４．３．３  変形例３＞
上記第４実施形態はペットホテル（監視対象はペット）においても適用できる。
【００７５】
＜５  その他実施形態＞
本発明の実施形態は、前述の実施形態に限られず、本発明の趣旨を逸脱しない範囲で種々の修正、変更及び組み合わせが可能である。また、前述の実施形態は、本質的に好ましい例示であって、本発明、その適用物、あるいはその用途の範囲を制限することを意図するものではない。
例えば、以下のような変更が可能である。
【００７６】
＜５．１＞
上記実施形態においては、イベント受付部２１がＩＤ情報生成部２２のＩＤ情報の生成を受けて、当該ＩＤ情報及びＵＲＬ情報を含む駐車券の発券を発券機４０に指令しているが、本発明はこれに限定されない。
例えば、映像提供装置２０と発券機４０とにはそれぞれ、予め発券番号等の識別情報と対応付けたユーザＩＤ情報を格納しておく。発券機４０はサービスの開始を受け付けたとき、発券番号と対応するユーザＩＤ情報とを含む駐車券を即座に発券する。発券の通知を受けた映像提供装置２０は、当該発券番号に対応する格納したユーザＩＤ情報を有効にする。またサービスの終了時（つまり精算時）には、ＩＤ情報解除部２３が当該ユーザＩＤ情報を無効にする。
これにより、ユーザによるサービス受付時にユーザＩＤ情報の生成を待って発券する必要がなくなり、より迅速且つ簡単にサービスの受付とユーザＩＤ情報のユーザへの通知を行なうことができる。
【００７７】
＜５．２＞
映像を提供するウエブページのＵＲＬは、サービスの開始毎に生成され、サービスの終了に応じて無効にされてもよい。この場合、ＵＲＬはランダムに生成され、事前に生成されたユーザＩＤ情報や発券番号等の識別情報に対応付けられて映像提供装置２０に事前に格納されている。
本実施形態に係る映像提供装置２０の動作を図７のフローチャートを用いて説明する。映像提供装置２０は、イベント開始の通知（発券）を受信すると（ステップＳ１０１〜Ｓ１０２）、事前に生成されたＩＤ情報と対応するＵＲＬ情報とを取得し、発券機４０に送信する（ステップＳ１０３）。そして、映像提供装置２０は、ユーザ端末３０からのアクセスを受けて（ステップＳ１０４）、ユーザＩＤ情報の一致を判断すると（ステップＳ１０５）、当該ユーザＩＤ情報に対応するＵＲＬを読み込み、当該ウエブページで映像を提供する（ステップＳ１０６）。
【００７８】
＜５．３＞
ユーザＩＤ情報はなくともよく、ユーザはＵＲＬをユーザ端末３０に入力するとすぐに映像閲覧のためのウエブページが表示されるようにしてもよい。
この場合、映像提供装置２０は、ＵＲＬ情報を発券機４０等のサービス受付装置に通知しなくともよい。例えば、映像提供装置２０と発券機４０とにはそれぞれ、予め発券番号等の識別情報と対応付けたＵＲＬ情報を格納しておく。発券機４０はユーザによるサービス開始を受け付けたとき、発券番号等の識別情報と対応するＵＲＬ情報とを含む駐車券を即座に発券する。発券の通知を受けた映像提供装置２０は、当該発券番号等の識別情報に対応する格納したＵＲＬ情報を有効にする。またサービスの終了時には、当該ＵＲＬ情報を無効にする。これにより、ユーザによるサービス受付時にＵＲＬの生成を待って発券する必要がなくなり、より迅速且つ簡単にサービスの受付とＵＲＬ情報のユーザへの通知を行なうことができる。
【００７９】
＜５．４＞
ユーザがＩＣカードや携帯電話等で精算を行なう場合、そのＩＤ情報を用いてウエブページにログインするようにしてもよい。
また、ウエブサイトのＵＲＬにアクセスした後、発券番号をＩＤ情報として入力してウエブページにログインするようにしてもよい。
【００８０】
＜５．５＞
上記実施形態において、サービスが解除された場合、映像提供装置２０は、予め登録されたユーザのアドレスに解除通知送信するようにしてもよい。この場合、ユーザのアドレスは、例えばログイン時に任意で登録しておき、通知を行なうようにしてもよい。
【００８１】
＜５．６＞
上記実施形態においては、ユーザは監視カメラ１０より主にライブ映像（ＭＰＥＧ−４圧縮）の提供を受けているが、これに限定されない。例えば、監視カメラ１０により撮像された録画映像（ＪＰＥＧ圧縮）も映像提供装置２０に格納しておき、ユーザの選択により時間を遡った映像を提供することも可能である。
【００８２】
以下、図１９を参照しながら、この場合の監視カメラシステム１の動作について説明する。
Ｓ５０１：映像提供装置２０のイベント受付部２１は、受付装置よりイベント開始の通知を受信する。映像提供装置２０はまた、イベント開始の時間、つまりサービス開始時間をメモリに記憶する。
Ｓ５０２：ＩＤ情報生成部２２は、ユーザＩＤ情報を生成し、ＩＤ情報格納部２４に格納する。このとき、ＩＤ情報生成部２２は、例えば図２０（ａ）に示すように、生成したユーザＩＤ情報とサービス開始時間とを対応付けて、メモリに格納する。
【００８３】
Ｓ５０３：イベント受付部２１は、イベント開始から所定時間経過したかどうかを判断する。なお、この所定時間は、上記第４実施形態と同様に所定の計時手段によりカウントされる。所定時間経過している場合はステップＳ５０８に進み、所定時間経過していない場合はステップＳ５０４に進む。
本実施形態においては、サービス時間を終了（イベントの終了）してもユーザに対して録画映像を提供できるようにするため、この判断処理を行う。映像提供装置２０は、例えば図２０（ａ）に示すように、イベントの開始から所定時間経過したユーザＩＤ情報についてはフラグを「０」に設定し、経過していないユーザＩＤ情報についてはフラグを「１」に設定する。これにより、サービス時間が終了しても、所定時間が経過していないユーザＩＤ情報については有効とされ、ユーザは映像提供装置２０にアクセスできる。
【００８４】
Ｓ５０４：ユーザアクセス受付部２５は、ユーザ端末３０からのアクセスを受信したかどうかを判断する。
Ｓ５０５：ユーザアクセス受付部２５は、ユーザ端末３０からのアクセスを受信した場合、ユーザ端末３０から送信されたユーザＩＤ情報とＩＤ情報格納部２４に格納されたユーザＩＤ情報との照合を行い、当該ユーザＩＤ情報が一致したかどうかを判断する。
一致した場合はステップＳ５０５に進み、一致しない場合はステップＳ５０３に戻る。
【００８５】
Ｓ５０６：ページ生成部２８は、当該ユーザＩＤ情報に対応するウエブページを生成する。ページ生成部２８は更に、監視カメラ１０の映像がユーザ端末３０により閲覧可能な状態を生成する。これにより、当該監視カメラ１０の映像がユーザ端末３０を介して提供される。
【００８６】
このとき、映像端末装置２０は、ユーザＩＤ情報に対応付けられているサービス開始時間から終了時間に係る録画映像（ＪＰＥＧ圧縮）を表示可能なページも生成する。このページは、例えば、図２０（ｂ）に示すようなスライドバーでサービス開始時間〜終了時間に係る映像を再生できる態様である。
【００８７】
Ｓ５０７：イベント受付部２１は、サービス時間が終了したかどうかを判断する。終了した場合は、ステップＳ５０３に戻り、更に所定時間経過したかどうかを判断する。終了していない場合は、ステップＳ５０４に戻る。
Ｓ５０８：映像提供装置２０は、サービス開始から所定の時間経過後に対応するユーザＩＤ情報を無効にする。
なお、上記監視カメラシステム１による処理の流れは一例であり、各処理の順序やタイミング等は上記に限定されない。
【００８８】
＜５．７＞
上記実施形態においては、映像提供装置２０は、ＨＴＴＰプロトコル以外のアプリケーションを介して映像を提供（例えば、配信）するようにしてもよい。
【００８９】
＜５．８＞
上記実施形態においては、映像提供装置２０は、映像を提供することに対しユーザに課金するようにしてもよい。この場合、サービス受付時又はユーザからのアクセス時にユーザに対し課金内容の確認をした上で、サービスの精算時に映像提供に対する支払いを受けるようにしてもよい。
【００９０】
＜５．９＞
上記実施形態においては、映像提供装置２０は、一つの装置であることに限定されず、複数の装置から構成されていてもよい。またその場合、装置に限られず、システムであってもよい。
また、映像提供装置２０は、複数のサービス提供箇所と接続されてもよい。更に、映像提供装置２０は、複数種のサービに関する映像提供を行うことも可能である。
【産業上の利用可能性】
【００９１】
上記技術は、監視カメラの映像を提供する装置、システム、方法又はコンピュータプログラムとして有用である。
【符号の説明】
【００９２】
１     監視カメラシステム
１０   監視カメラ
１１   撮像部
１２   ＤＳＰ
１２ａ 信号処理部
１２ｂ 画像圧縮部
１３   ネットワークＩＦ部
２０   映像提供装置
２１   イベント受付部
２２   ＩＤ情報生成部
２３   ＩＤ情報解除部
２４   ＩＤ情報格納部
２５   ユーザアクセス受付部
２６   映像受信部
２７   映像格納部
２８   ページ生成部
３０   ユーザ端末
４０   発券機（サービス受付装置）
４０Ａ 充電装置（サービス受付装置）
４０Ｂ 受付装置（サービス受付装置）
【図１】
0005542089.tif 000002
【図２】
0005542089.tif 000003
【図３】
0005542089.tif 000004
【図４】
0005542089.tif 000005
【図５】
0005542089.tif 000006
【図６】
0005542089.tif 000007
【図７】
0005542089.tif 000008
【図８】
0005542089.tif 000009
【図９】
0005542089.tif 000010
【図１０】
0005542089.tif 000011
【図１１】
0005542089.tif 000012
【図１２】
0005542089.tif 000013
【図１３】
0005542089.tif 000014
【図１４】
0005542089.tif 000015
【図１５】
0005542089.tif 000016
【図１６】
0005542089.tif 000017
【図１７】
0005542089.tif 000018
【図１８】
0005542089.tif 000019
【図１９】
0005542089.tif 000020
【図２０】
0005542089.tif 000021